(57)【要約】【課題】本発明は境界線等と接していても、地震等によって揺れ動いても、境界線等を越えて突出するのを確実に阻止することができ、かつ確実に水切りが可能な水切屋根を得るにある。【解決手段】免震ビル等の建物の外壁面と境界線近傍等に設けたよう壁の、該建物の外壁面側の内側が上部に位置する傾斜面の支持台と、この支持台の外側に下端部がヒンジ部材を介して支持され、上方へ回動可能な上端部が前記建物の外壁面に当接するように位置する水切屋根本体と、この水切屋根本体の上端部あるいは該上端部と当接する部位に設けられた、地震等によって前記建物の外壁面と前記よう壁との間の寸法が小さくなると水切屋根本体の上端部を上方へスムーズに回動させる水切屋根本体回動部材と、前記水切屋根本体の上端部を常時下方に位置するように付勢する付勢機構とで水切屋根を構成している。【選択図】  図３
2004211450.tif 000002
【特許請求の範囲】
【請求項１】
免震ビル等の建物の外壁面と境界線近傍等に設けたよう壁の、該建物の外壁面側の内側が上部に位置する傾斜面の支持台と、この支持台の外側に下端部がヒンジ部材を介して支持され、上方へ回動可能な上端部が前記建物の外壁面に当接するように位置する水切屋根本体と、この水切屋根本体の上端部あるいは該上端部と当接する部位に設けられた、地震等によって前記建物の外壁面と前記よう壁との間の寸法が小さくなると水切屋根本体の上端部を上方へスムーズに回動させる水切屋根本体回動部材と、前記水切屋根本体の上端部を常時下方に位置するように付勢する付勢機構とからなることを特徴とする水切屋根。
【請求項２】
免震ビル等の建物の外壁面と境界線等に設けたよう壁の、該建物の外壁面側の内側が上部に位置する傾斜面の支持台と、この支持台の外側に下端部がヒンジ部材を介して支持され、上方へ回動可能な上端部が前記建物の外壁面に当接するように位置する水切屋根本体と、この水切屋根本体の上端部と当接する部位の外壁面に固定された、該水切屋根本体の上端部をスムーズに上方へ回動するようにガイドする弧状のガイド部および雨水のガイド部が形成された水切屋根本体回動部材と、前記水切屋根本体の上端部を常時下方に位置するように付勢する付勢機構とからなることを特徴とする水切屋根。
【請求項３】
水切屋根本体回動部材は水切屋根本体の上端部に取付けられたローラーであることを特徴とする請求項１記載の水切屋根。
【発明の詳細な説明】
【０００１】
【発明の属する技術分野】
本発明は免震ビル等の建物の外壁面と、他人の土地との境界線等との間が狭い場合に使用される、庇等の水切屋根に関する。
【０００２】
【従来の技術】
従来、免震ビル等の建物の外壁面には、固定的に取付けられる庇が設けられている。
【０００３】
【発明が解決しようとする課題】
従来の庇は免震ビル等の建物の外壁面に固定的に取付けられているため、他人の土地との境界線との間が狭い場合、５００ミリメートル前後移動可能な免震ビルにあっては、庇の先端部が境界線を越えてしまうという欠点があった。
【０００４】
本発明は以上のような従来の欠点に鑑み、境界線等と接していても、地震等によって揺れ動いても、境界線等を越えて突出するのを確実に阻止することができ、かつ確実に水切りが可能な水切屋根を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は免震ビル等の建物の外壁面と境界線近傍等に設けたよう壁の、該建物の外壁面側の内側が上部に位置する傾斜面の支持台と、この支持台の外側に下端部がヒンジ部材を介して支持され、上方へ回動可能な上端部が前記建物の外壁面に当接するように位置する水切屋根本体と、この水切屋根本体の上端部あるいは該上端部と当接する部位に設けられた、地震等によって前記建物の外壁面と前記よう壁との間の寸法が小さくなると水切屋根本体の上端部を上方へスムーズに回動させる水切屋根本体回動部材と、前記水切屋根本体の上端部を常時下方に位置するように付勢する付勢機構とで水切屋根を構成している。
【０００７】
【発明の実施の形態】
以下、図面に示す実施の形態により、本発明を詳細に説明する。
【０００８】
図１ないし図６に示す本発明の第１の実施の形態において、１は免震ビル等の建物２の外壁面３と境界線Ｘあるいは隣の建物の近傍に設けられたよう壁４との間の目地部５を水切り可能に覆う本発明の水切屋根で、この水切屋根１は前記よう壁４の上部に前記建物２の外壁面３側の内側が上部に位置する、例えば３０゜〜６０゜の傾斜面の支持台６と、この支持台６の外側に下端部がヒンジ部材７を介して支持され、上方へ回動可能な上端部が前記建物２の外壁面３に当接するように位置する枠材８とカバー板９とからなる水切屋根本体１０と、この水切屋根本体１０の上端部と当接する部位の外壁面３に設けられた、地震等によって前記建物２の外壁面３と前記よう壁４との間の目地部５の寸法が小さくなると水切屋根本体１０の上端部を上方へスムーズに回動するようにガイドする弧状のガイド部１１および雨水ガイド部１２が形成された水切屋根本体回動部材１３と、前記水切屋根本体１０の上端部を常時下方に位置するように付勢する一端部が水切屋根本体１０のほぼ中央部の底面に取付けられ、他端部が前記よう壁４の内側面に取付けられたコイルスプリング１４を用いた付勢機構１５とで構成されている。
【０００９】
上記構成の水切屋根１は水切屋根本体１０が付勢機構１５で上端部が下方に位置するように付勢されているため、風等によって水切屋根本体１０がバタついたりするのを確実に防止できる。
また、雨水は水切屋根本体回動部材１３の雨水ガイド部１２より水切屋根本体１０上へ落下し、水切屋根本体１０の傾斜によって、よう壁４の外側部へ落下され、目地部５内へ浸入するのを阻止することができる。
【００１０】
地震等によって目地部５が広くなるように揺れ動いた場合には、図４に示すように水切屋根本体１０が支持台６に支持された状態で、建物２の外壁面３が離れていき、その揺れ動きを吸収する。
また、目地部５が狭くなるように揺れ動いた場合には、図５に示すように水切屋根本体１０の上端部が建物２の外壁面３に設けられた水切屋根本体回動部材１３の弧状のガイド部１１による押し圧によって、スムーズに弧状のガイド部１１を滑って上方へ付勢機構１５の付勢力に抗して回動して、その揺れ動きを境界線Ｘより突出することなく吸収し、揺れ動きが戻ると付勢機構１５の付勢力によって、水切屋根本体１０を元の状態に自動的に戻すことができる。
なお、水切屋根本体１０が図６に示すようにほぼ垂直近傍に位置すると、該水切屋根本体１０がそれ以上回動しないように下端部がよう壁４の外側と当接するため、確実に元の状態へ戻る。
【００１１】
【発明の異なる実施の形態】
次に、図７ないし図１２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図７ないし図９に示す本発明の第２の実施の形態において、前記本発明の第１の実施の形態と主に異なる点は、水切屋根本体１０の上端部と当接する部位の外壁面３に水切屋根本体１０をスムーズに上方へ回動させることができるスベリ板１６を水切屋根本体回動部材１３Ａとして固定するとともに、該水切屋根本体回動部材１３Ａの上部に一体あるいは別体で小さな庇１７を設けた点で、このように構成した水切屋根１Ａにしても、前記本発明の第１の実施の形態と同様な作用効果が得られる。
【００１３】
図１０ないし図１２に示す本発明の第３の実施の形態において、前記本発明の第１の実施の形態と主に異なる点は、水切屋根本体１０の上端部寄りの底面に重り１８を用いた付勢機構１５Ａと、水切屋根本体１０の上端部にローラー１９を用いた水切屋根本体回動部材１３Ｂとを用いた点で、このような付勢機構１５Ａと水切屋根本体回動部材１３Ｂを用いて構成した水切屋根１Ｂにしても、前記本発明の第１の実施の形態と同様な効果が得られる。
【００１４】
【発明の効果】
以上の説明から明らかなように、本発明にあっては次に列挙する効果が得られる。
【００１５】
（１）免震ビル等の建物の外壁面と境界線近傍等に設けたよう壁の、該建物の外壁面側の内側が上部に位置する傾斜面の支持台と、この支持台の外側に下端部がヒンジ部材を介して支持され、上方へ回動可能な上端部が前記建物の外壁面に当接するように位置する水切屋根本体と、この水切屋根本体の上端部あるいは該上端部と当接する部位に設けられた、地震等によって前記建物の外壁面と前記よう壁との間の寸法が小さくなると水切屋根本体の上端部を上方へスムーズに回動させる水切屋根本体回動部材と、前記水切屋根本体の上端部を常時下方に位置するように付勢する付勢機構とで構成されているので、境界線等の方向に建物が揺れ動いた場合、建物の外壁面によって水切屋根本体の上端部が押し圧され、水切屋根本体回動部材によって、付勢機構の付勢力に抗してスムーズに上方へ回動させることができる。
したがって、水切屋根本体の下端部が境界線等を越えて突出するのを確実に阻止できる。揺れ動きが停止すると、付勢機構の付勢力によって自動的に水切屋根本体が元の状態に戻る。
【００１６】
（２）前記（１）によって、水切屋根本体は支持台に傾斜状態で支持されているので、目地部が広くなるように揺れ動いた場合には、水切屋根本体の上端部より離れるように建物の外壁面が移動して、その揺れ動きを吸収することができる。
【００１７】
（３）前記（１）によって、支持台、水切屋根本体、水切屋根本体回動部材、付勢機構で構成されているので、構造が簡単で、容易に製造、設置を行なうことができる。
【００１８】
（４）前記（１）によって、建物の外壁面に傷が付いたり、内部に水が浸入するのを効率よく阻止できるとともに、外側から水切屋根本体の開放が難しく、防犯効果が得られる。
【００１９】
（５）請求項２、３も前記（１）〜（４）と同様な効果が得られる。
【図面の簡単な説明】
【図１】本発明の第１の実施の形態の平面図。
【図２】本発明の第１の実施の形態の正面図。
【図３】図１の３−３線に沿う断面図。
【図４】本発明の第１の実施の形態の目地部が広くなった動作説明図。
【図５】本発明の第１の実施の形態の目地部が狭くなった動作説明図。
【図６】水切屋根本体が最大に回動した状態の説明図。
【図７】本発明の第２の実施の形態の平面図。
【図８】本発明の第２の実施の形態の正面図。
【図９】図７の９−９線に沿う断面図。
【図１０】本発明の第３の実施の形態の平面図。
【図１１】本発明の第３の実施の形態の正面図。
【図１２】図１０の１２−１２線に沿う断面図。
【符号の説明】
１、１Ａ、１Ｂ：水切屋根、
２：建物、              ３：外壁面、
４：よう壁、            ５：目地部、
６：支持台、            ７：ヒンジ部材、
８：枠材、              ９：カバー板、
１０：水切屋根本体、    １１：弧状のガイド部、
１２：雨水ガイド部、
１３、１３Ａ、１３Ｂ：水切屋根本体回動部材、
１４：コイルスプリング、１５、１５Ａ：付勢機構、
１６：スベリ板、        １７：庇、
１８：重り、            １９：ローラー。
【図１】
2004211450.tif 000003
【図２】
2004211450.tif 000004
【図３】
2004211450.tif 000005
【図４】
2004211450.tif 000006
【図５】
2004211450.tif 000007
【図６】
2004211450.tif 000008
【図７】
2004211450.tif 000009
【図８】
2004211450.tif 000010
【図９】
2004211450.tif 000011
【図１０】
2004211450.tif 000012
【図１１】
2004211450.tif 000013
【図１２】
2004211450.tif 000014